(57)【要約】【課題】車椅子利用の被介護者が排泄を行うに際して、介護者及び被介護者が安全に、且つ負担無しに全ての動作を行うことができるようにした車椅子用トイレシステムとする。【解決手段】トイレ内に便器を固定すると共にその便器に隣接して車椅子待機場所を配置した移動台車を、レール上で横移動できるようにしておく。この移動台車は、この移動台車上の車椅子待機場所に被介護者が座った車いすが乗り、車椅子から被介護者がその前方の被介護者待機場所に掴まり立ちして待機するとき、車椅子待機場所の位置に前記便器が横移動して停止する。ここで脱衣した被介護者は便器に着座し、排泄を行った後被介護者待機場所に掴まり立ちする。その後、移動台車の横移動によって便器の位置に車椅子待機場所上の車椅子が移動して停止し、被介護者は車椅子に座ってトイレから出る。また、前記トイレを固定式とし、その前に被介護者が掴まり立ちする移動台車を設けても良い。【選択図】図１
2010207497.tif 000002
【特許請求の範囲】
【請求項１】
トイレ内に便器を固定すると共に該便器に隣接して車椅子待機場所を配置した移動台車と、前記移動台車の前方に被介護者待機場所を設け、
前記移動台車は、該移動台車の車椅子待機場所に被介護者が座った車いすが乗り、車椅子から被介護者がその前方の被介護者待機場所に移動して待機するとき、前記移動台車の移動によって前記車椅子待機場所の位置に前記便器が移動して停止するとともに、
前記移動台車は、該移動台車の便器から被介護者がその前方の被介護者待機場所に移動して待機するとき、前記移動台車の移動によって前記便器の位置に前記車椅子待機場所の車椅子が移動して停止するように構成したことを特徴とする車椅子用トイレシステム。
【請求項２】
トイレ内に便器を固定すると共に該便器に隣接して車椅子待機場所を配置し、前記便器及び車椅子待機場所の前方に交互に移動可能な被介護者搭乗用移動台車を設け、
前記車椅子待機場所に被介護者が座った車いすが移動し、車椅子から被介護者がその前方に位置する移動台車上の被介護者待機場所に乗るとき、前記移動台車が便器の前方に移動して停止するとともに、
前記移動台車は、便器から被介護者がその前方の移動台車の被介護者待機場所に乗るとき、前記移動台車の移動によって前記車椅子待機場所の車椅子の前に移動して停止するように構成したことを特徴とする車椅子用トイレシステム。
【請求項３】
前記被介護者待機場所には手すりを設け、該被介護者待機場所の被介護者が掴まり立ち可能としたことを特徴とする請求項１または２に記載の車椅子用トイレシステム。
【請求項４】
前記移動台車は駆動輪によりレール上を移動可能としたことを特徴とする請求項１または２に記載の車椅子用トイレシステム。
【発明の詳細な説明】
【技術分野】
【０００１】
この発明は車椅子使用者が容易に排泄を可能とし、介護者の負担を軽減可能とするため、被介護者が車椅子から立ち上がった状態で、車椅子とトイレが交換できるようにした車椅子用トイレシステムに関する。
【背景技術】
【０００２】
日本を初め各国では高齢社会化し、今後はますます介護を必要とする人の数が増大することが予想されている。それに対して介護施設などでは介護スタッフの数が不足し、また介護自体に肉体的な負担が大きいのに対して介護スタッフは非力な人が多いこともあり、社会問題にもなっている。そのため介護動作に関する物理的支援に貢献する技術の開発が要請されている。このような介護動作を物理的に支援する技術としては、例えばロボットを用いる技術等の開発が行われているが、多くの技術は複雑な機構と精密な制御技術を利用するものであり、高価なものとならざるを得ない。
【０００３】
前記のような介護に際しては、一日にほぼ定期的に作業を行う必要があるものとして、食事の世話と排泄の世話は重要な作業であり、特に排泄の世話は排泄設備への移動と、被介護者の衣服の着脱、排泄物の処理等で多くの手数を要すると共に、排泄設備への移動に際して車椅子を利用するときには、車椅子から排泄設備の便器に腰掛けさせること、また排泄設備から戻るための車椅子への移動等、多くの作業を必要とする。
【０００４】
特にその排泄の介護に際しては、被介護者が車椅子から便器に座り、再び車椅子に戻って座るときには被介護者の姿勢が不安定になることもあり、多くの注意を必要とする。また、車椅子と便器間の移乗時には、どうしても足の踏み換え動作が必要となり、被介護者及び介護者の両者にとって肉体的な負担となる問題もある。したがって、介護の支援技術の開発としては、排泄介護支援技術の開発が急務となっている。
【０００５】
上記のような被介護者の排泄を介護するときの問題は、このような場合に限らず、足の不自由な人が車椅子を利用するとき、車椅子利用者のトイレにおいて行う動作も前記と同様の動作を行う必要があり、元々足が不自由なこともあってその動作は苦痛を伴うものであって、姿勢が不安定となり転倒の危険も多くなる。
【０００６】
このような問題を解決する技術としては、例えばトイレ空間の中にターンテーブルのような機器を備えて、被介護者を回転させることで移乗時の負担軽減を図る技術が特開２００５−１１８５２５号公報（特許文献１）に開示されている。また、車椅子がトイレと通信することにより、予め便座の向きを変えて移乗の準備をする技術が特開２００２−４５４０２号公報（特許文献２）に開示されている。更に、便座や便器が回転し移乗の負担を軽減する技術が特開２００１−３５５２７４号公報（特許文献３）に開示されている。
【先行技術文献】
【特許文献】
【０００７】
【特許文献１】特開２００５−１１８５２５号公報
【特許文献２】特開２００２−０４５４０２号公報
【特許文献３】特開２００１−３５５２７４号公報
【発明の概要】
【発明が解決しようとする課題】
【０００８】
上記のように、現在提案されているシステムでは被介護者の移乗の際に、どうしても被介護者の足の踏み替え動作や体全体の回転動作などが必要となり、結局、被介護者、介護者の双方にとって介護負担を大きく解消することはできない。更に、このことは足の不自由な人が車椅子用トイレで行う動作でも同様であり、前記のような被介護者を含む車椅子の利用者の転倒リスク、介護者の腰への負担などが大きな問題となっている。
【０００９】
したがって本発明は、車椅子利用者が排泄を行うに際して、容易に且つ安全に全ての動作を行うことができるようにし、特に車椅子の利用者が介護の必要がある人の場合には、介護者にとっても介護負担を軽減することができるように、しかも簡単な装置によって実施することができるようにした車椅子用トイレシステムを提供することを主たる目的とする。
【課題を解決するための手段】
【００１０】
本発明に係る車椅子用トイレシステムは、前記課題を解決するため、トイレ内に便器を固定すると共に該便器に隣接して車椅子待機場所を配置した移動台車と、前記移動台車の前方に被介護者待機場所を設け、前記移動台車は、該移動台車の車椅子待機場所に被介護者が座った車いすが乗り、車椅子から被介護者がその前方の被介護者待機場所に移動して待機するとき、前記移動台車の移動によって前記被介護者待機場所の位置に前記便器が移動して停止するとともに、前記移動台車は、該移動台車の便器から被介護者がその前方の被介護者待機場所に移動して待機するとき、前記移動台車の移動によって前記便器の位置に前記車椅子が移動して停止するように構成したことを特徴とする。
【００１１】
また、本発明に係る他の車椅子用トイレシステムは、トイレ内に便器を固定すると共に該便器に隣接して車椅子待機場所を配置し、前記便器及び車椅子待機場所の前方に交互に移動可能な被介護者搭乗用移動台車を設け、前記車椅子待機場所に被介護者が座った車いすが移動し、車椅子から被介護者がその前方に位置する移動台車上の被介護者待機場所に乗るとき、前記移動台車が便器の前方に移動して停止するとともに、前記移動台車は、便器から被介護者がその前方の移動台車の被介護者待機場所に乗るとき、前記移動台車の移動によって前記車椅子待機場所の車椅子の前に移動して停止するように構成したことを特徴とする。
【００１２】
また、本発明に係る他の車椅子用トイレシステムは、前記車椅子用トイレシステムにおいて、前記被介護者待機場所には手すりを設け、該被介護者待機場所の被介護者が掴まり立ち可能としたことを特徴とする。
【００１３】
また、本発明に係る他の車椅子用トイレシステムは、前記車椅子用トイレシステムにおいて、前記移動台車は駆動輪によりレール上を移動可能としたことを特徴とする。  
【発明の効果】
【００１４】
本発明は上記のように構成したので、車椅子利用者が排泄を行うに際して、容易に且つ安全に全ての動作を行うことができる。特に車椅子の利用者が介護の必要がある人の場合には、介護者にとっても介護負担を軽減することができ、しかも簡単な装置によって実施することができる。
【図面の簡単な説明】
【００１５】
【図１】本発明の第１実施例のトイレ内における各種設備と車椅子の配置を示す斜視図である。
【図２】同各種設備と車椅子の他の配置を示す斜視図である。
【図３】同各種設備と車椅子の更に他の配置を示す斜視図である。
【図４】同各種設備の配置と車椅子の配置を示す平面図である。
【図５】同各種設備の配置と車椅子の他の配置を示す平面図である。
【図６】同第１実施例において、移動台車に乗った被介護者が被介護者待機位置に掴まり立ちする状態を示す模式図である。
【図７】本発明の第２実施例のトイレ内における各種設備と車椅子の配置を示す斜視図である。
【図８】同各種設備と車椅子の他の配置を示す斜視図である。
【図９】同各種設備と車椅子の配置を示す平面図である。
【図１０】同各種設備と車椅子の他の配置を示す平面図である。
【図１１】同第２実施例において、移動台車に乗った被介護者が移動台車に乗って掴まり立ちする状態を示す模式図である。
【発明を実施するための形態】
【実施例１】
【００１６】
本発明の実施例を図面に沿って説明する。図１は本発明による車椅子用移動台トイレシステムの第１実施例を示す斜視図であり、被介護者が乗った車椅子１を介護者が押してトイレ２の出入口３に来たときにおいて、トイレ２に設けたレール４上をモータ等により駆動可能な車輪を備えている移動台車５の上に乗り込もうとしている状態を示している。なお、この状態は後述するように被介護者等の利用者がトイレの使用後に、トイレから出る状態と同じである。
【００１７】
移動台車５には図中右側に移動便器６を固定しており、移動台車５の図中左側には車椅子１が乗ることができる車椅子搭乗部７としている。図示の例ではこの車椅子搭乗部７の前端部に、車椅子１の前輪８が移動台車５から出ることのないように、また車椅子の位置決めのためにストッパ９を設けた例を示している。また、介護者等が適切なタイミングで移動台車５を移動することができるように、移動台車操作スイッチ部を壁等に設けている。
【００１８】
図１の状態は図４に模式図を平面図で示しており、トイレ２の出入口３から介護者１１に押されて被介護者１２が乗った車椅子１が入るとき、移動台車５は図示するように車椅子搭乗部７がトイレ２の出入口３の正面位置に待機しており、介護者１１がトイレ２内で車椅子を前進させることによって、移動台車５の車椅子搭乗部７上に車椅子を乗り込ませることができる。
【００１９】
図２に示すように、車椅子１がトイレ内を横移動する移動台車５の車椅子搭乗部７における所定位置に、前記ストッパ９を利用する等によって搭乗して停止すると、介護者１１は車椅子のブレーキをかけ、例えば図６に略示するように、車椅子１に座っている被介護者１２の足をフットレストから降ろし、トイレ２内の移動台車５の前方における被介護者待機位置１３に立たせる。このとき、被介護者待機位置１３の前面の壁から、被介護者が掴まることができる手すり１４を設けているので、被介護者は自力のみにより車椅子から立ち上がり、或いは介護者の軽い補助によって立ち上がることができ、その後被介護者は手すりに掴まって短時間この位置で立っていることができる。
【００２０】
このとき介護者は操作スイッチ等を操作し、移動台車５に移動を指示する。移動台車５にはモータ等で駆動可能な駆動装置を備えており、例えば図６の略図に示すように、レール４上の車輪１６を回転し、移動台車５を図１及び図４中において左側に横移動する。移動台車５が所定の位置まで移動すると、移動位置検知スイッチ等によって図３及び図５に示す位置で停止する。この停止位置は図示するように被介護者待機位置１３で立って待っている被介護者の後部に、移動台車５に固定している移動便器６が移動して停止した状態となる。
【００２１】
ここで介護者１１は手すり１４に掴まっている被介護者１２を脱衣させて移動便器６の便座に着座させる。その後被介護者１２の排泄が終了すると、介護者１１は前記と逆の作業を行うこととなり、被介護者１２は必要に応じて介護者の手を借りて、手すりに掴まって便座から立ち上がり、被介護者待機位置１３に立つ。介護者はここで着衣させた後、操作スイッチ等を操作し移動台車５に移動を指示する。
【００２２】
移動台車５は逆方向に移動して所定位置で停止すると、前記図２及び図４に示す状態となり、被介護者待機位置１３で立って待機している被介護者の後部に、移動台車５の車椅子搭乗部７に乗っている車椅子が移動する。ここで介護者１１は被介護者１２を車椅子１に座らせ足をフットレストに乗せて車椅子のブレーキを解除し、車椅子１を移動して移動台車５から降ろし、トイレ２の出入口３から出ることによって、一連の作動及び作業が終了する。
【実施例２】
【００２３】
前記図１〜図６に示す実施例においては、移動台車５に車椅子搭乗部と移動便器とを並べて配置し、被介護者待機位置で立って待機している被介護者の後ろに交互に移動できるようにしたものであるが、それ以外に例えば図７〜図１１に示すように、車椅子と便器とが並んだ状態で、被介護者が立つ台を移動可能とすることによって実施することもできる。即ち、図９にそのときの模式図を平面図で示すように、前記実施例と同様に介護者１１は被介護者１２が乗った車いす１を押してトイレ２の出入口３からトイレ２に入り、トイレ２の固定便器２０の隣の車椅子待機位置２１に移動し、車椅子のブレーキをかける。この状態は図７の斜視図に示しており、図示実施例ではこのとき、車椅子待機位置２１に設けたストッパ９で前輪８の位置決めを可能としている。
【００２４】
トイレ２内におけるこの車椅子待機位置２１の前方には、トイレ内を横方向に移動可能で、後述するように被介護者を乗せて移動可能な移動台車２２を配置しており、したがって車椅子待機位置２１に移動してきた車椅子上の被介護者１２は手前に位置している手すり１４に掴まって立ち上がる。このとき必要に応じて介護者１１が介護する。それにより、被介護者は図１１に示すように、直前で待機している移動台車２２に乗り、手すり１４に掴まって立つこととなる。
【００２５】
このとき、介護者１１も移動台車２２に乗って不安定な被介護者１２が安定して立つことができるように介護しても良い。介護者１１はここで移動台車等に設けている操作スイッチを操作し、移動台車２２に移動を指示する。その後図示の例では移動台車２２の下方に設けているレール４上を、前記実施例と同様にモータにより駆動する車輪の回転によって横移動し、図８及び図１０に示すように固定便器２０の直前の位置で停止する。
【００２６】
ここで被介護者は介護者の介護により脱衣し、便器の便座に着座する。その後被介護者１２の排泄が終了すると、介護者１１は前記と逆の作業を行い、移動台車２２上に前記と同様に被介護者を掴まり立ちさせ、操作スイッチを操作して移動台車２２に移動を指示する。移動台車２２は先の車椅子待機位置２１の直前位置に移動して停止すると、介護者１１は被介護者１２の背後に位置している車椅子１に座らせ、足をフットレストに乗せて、車椅子のブレーキを解除し、図９に示すようにトイレ２の出入口３から車椅子を引いて出て一連の作動及び作業を終了する。
【００２７】
この実施例においては、前記実施例における車椅子及び移動トイレを移動台車により移動させるよりも小型の移動台車で済み、安価な装置とすることができる。また、便器は移動する必要がないので、従来の水洗トイレをそのまま用いることができ、その点でも安価な装置とすることができる。
【００２８】
本発明は前記の各実施例に示す以外に種々の態様で実施することができ、例えば前記各例において移動台車はレール上を走行する車輪を備えることにより移動する例を示したが、それ以外に例えば床面上を走行する車輪によって移動するようにしても良く、実施例２の被介護者が乗る移動台車は各種のゴンドラ状に構成しても良い。また、手すりに掴まっている被介護者を安定して支持するために、手すり等からベルトを被解御者に掛ける等、各種の介護用補助具を用いても良い。
【符号の説明】
【００２９】
１  車椅子
２  トイレ
３  出入口
４  レール
５  移動台車
６  移動便器
７  車椅子搭乗部
８  前輪
９  ストッパ
１１  介護者
１２  被介護者
１３  被介護者待機位置
１４  手すり
１６  車輪
２０  固定便器
２１  車椅子待機位置
２２  移動台車
【図１】
2010207497.tif 000003
【図２】
2010207497.tif 000004
【図３】
2010207497.tif 000005
【図４】
2010207497.tif 000006
【図５】
2010207497.tif 000007
【図６】
2010207497.tif 000008
【図７】
2010207497.tif 000009
【図８】
2010207497.tif 000010
【図９】
2010207497.tif 000011
【図１０】
2010207497.tif 000012
【図１１】
2010207497.tif 000013